(57)【要約】      （修正有）【課題】小型補聴器に装着する空気電池の自然放電を防止する補聴器携帯用ケースを提供する。【解決手段】容器部１と蓋部２からなるケース体を形成し，容器部１の内底面に磁性ゴムを装着する。空気電池のプラス電極を磁性ゴムにくっつかせることで自然放電を防止する。蓋部２に容器部の内容積をフレキシブイルに変化させる形成の緩衝用パットを装着し、このケース体の容積と形状を収納する補聴器の形状と装着する磁性ゴムの形状に対応させて形成することで、移動時における補聴器の揺れやずれを防止する。【選択図】図２
2015204549.tif 000002
【特許請求の範囲】
【請求項１】
容器部と蓋部からケース体を形成し、このケース体内に小形補聴器の複数の形状と補聴器用空気電池の収納に適合する緩衝用パットを装備した補聴器携帯用ケース。
【請求項２】
容器部と蓋部からケース体を形成し、このケース体内に複数の補聴器用空気電池を接着する磁性ゴムを内包する形状の緩衝用パットを備えた補聴器携帯用ケース。
【請求項３】
容器部と蓋部からケース体を形成し、小形補聴器の複数の形状に対応できるフレキシブイルな緩衝用パットを蓋部に、磁性ゴムを装着する部位を容器部の緩衝用パットに持つ補聴器携帯用ケース。
【発明の詳細な説明】
【技術分野】
【０００１】
本発明は、不使用時の補聴器を外部からの衝撃を防いで収納するケース体と補聴器から取り外した電池を接着される磁性ゴムで構成した補聴器携帯用ケースに関する。
【背景技術】
【０００２】
従来の補聴器携帯用ケースとしては、容器部と蓋部からケース体を形成し、これらの容器部と蓋部の内側にそれぞれの補聴器の形状に適合した形状の緩衝用パットをケース体の内側に装着させて補聴器を包んで収納するものが知られている。それらの補聴器携帯用ケースには、１〜２個の空気電池を収納するための小さな磁性ゴムを装着させているものもある（特許文献１）。
【先行技術文献】
【特許文献】
【０００３】
【特許文献１】特開２００７−３０６３４５号公報
【非特許文献】
【０００４】
【非特許文献１】一般社団法人電池工業界「WE LOVE DENCHI」http://www.baj.or.jp、2013年4月
【非特許文献２】筑波大学付属聾学校  聴覚活用委員会「補聴器活用ハンドブック」           http://www.deaf-s.tsukuba.ac.jp/hotyou/ HearingAidExploitationHandBook.pdf、2007年3月初版第１刷
【非特許文献３】一般社団法人日本補聴器工業会「空気電池の正しい使い方」hochouki.com/academy/use/right/index.html、2014 01 22
【発明の開示】
【発明が解決しようとする課題】
【０００５】
補聴器携帯用ケースは補聴器の不使用時に補聴器の電源スウィッチを切り、あるいは補聴器に装着させている電池を取り外し、携帯用ケース体に収納する。耳掛け補聴器や耳あな型補聴器などの小型補聴器はコイン形の補聴器用空気亜鉛電池を用いている。この電池は別名空気電池と呼ばれているように、プラス電極には空気孔がついていて、電気の発生に空気中の酸素を取り入れているので、補聴器の内外にかかわらず、空気電池の空気孔が空いた状態では、空気電池は少なからず自然放電するので、プラス電極に空いた空気孔を塞いで放電を防止する必要がある。
【０００６】
本発明は、表面が柔らかい磁性ゴムの板に空気電池のプラス電極をくっつかせることによって空気電池の空気孔を塞ぎ、補聴器を使用しないときの空気電池の放電を防止する補聴器携帯用ケースである（例えば、非特許文献1、２参照）。
【０００７】
小型補聴器の使用する空気電池の電気容量は少なく、その動作終了時間も予測しがたい特性なので、日常的に予備の電池を携帯することが望ましい。そのため、予備の空気電池を磁性ゴムの板に固定し収納できる補聴器携帯用ケースを提供するものである。
【課題を解決するための手段】
【０００８】
上記課題を解決すべく、本第1発明に係わる補聴器携帯用ケースは、容器部と蓋部からケース体を形成し、このケース体内に小形補聴器の複数の形状と補聴器用空気電池の収納に適合する緩衝用パットを装備したことを特徴とする。容器部と蓋部で構成したケース体の形状を、収納する補聴器の形状と数、磁性ゴムの形状をくっつかせる空気電池の個数に対応させ、蓋部にそれらを固定するためのドーム形の柔らかいクッションを形成するフレキシブイルな緩衝用パットを装着したものである。
【０００９】
本第２発明に係わる補聴器携帯用ケースは、容器部と蓋部からケース体を形成し、このケース体内に複数の補聴器用空気電池を接着する磁性ゴムを内包する形状の緩衝用パットを備えたことを特徴とする。本第２発明は、本第１発明の補聴器携帯用ケースにおいて、前記緩衝用パットを蓋部のみに装着するが、形状の異なる補聴器と空気電池を接着する磁性ゴムを装着する緩衝用パットを容器部に装着する。
【００１０】
本第３発明に係わる補聴器携帯用ケースは、容器部と蓋部からケース体を形成し、小形補聴器の複数の形状に対応できるフレキシブイルな緩衝用パットを蓋部に、磁性ゴムを装着する部位を容器部の緩衝用パットに持つことを特徴とする。
【発明の効果】
【００１１】
本第１発明よれば、補聴器の作動の有無にかかわらず、空気電池のプラス電極にある空気孔を塞がない限り、空気電池の自然放電を防止することができない。従来は、空気電池を購入したときにプラス電極に貼ってあったシールを再び活用することを奨励する文献もあるが、そのような小さなシールの保存は難しく、また、複数回使用することによってシールの粘着力もなくなる。本発明の空気電池のプラス電極を磁性ゴムにくっつかせることよる自然放電防止は、電極が磁性体でできているので接着力が低下することはなく、空気電池の電圧降下を半永久的に縮小できする（非特許文献３参照）。
【００１２】
本第２発明は、空気電池の放電特性に関連したものであるが、空気電池の放電特性は電圧が急激に低下するので、空気電池で駆動する補聴器の使用には予備の電池を持って歩くことが推奨されている。磁気は紙やプラスチックを透過するので、購入したときの空気電池をそのまま磁性ゴムにくっつくので、使用途上の電池と新規の電池を同時に自然放電を防止した状態で保存し携帯できる（非特許文献２参照）。
【００１３】
本第３発明の補聴器携帯用ケースの構造は、小形補聴器の典型的例である耳あな型補聴器の３つの形状に適合でき、数個の空気電池を同胞できることである。耳あな型補聴器の形状は、添付図１に例示したように補聴器によって大きさが数倍以上になる。図１の１００のフルシェル形と２００のカナル形、３００のミニカナル形の３つの形状は、補聴器装用者の外耳の形状と、補聴器装用者がどれを選択するかによって決まる。また、聴力損失が大きくなると適合する補聴器もミニカナル形からフルシェル形の変化し形状も大きくなる。補聴器装用者の聴力損失は加齢とともに大きくなることが多いので、ミニカナル形補聴器の装用者がフルシェル形補聴器の装用者になることも多い。このような人も、本発明の補聴器携帯用ケースを採用することによって、新たに補聴器携帯用ケースを新調することなく、従来のものを使用することができる。図１の３つの形状の補聴器１００、２００、３００、に記載した１０１は外耳道に挿入される部位であり、１０２は電池ホルダーの部位である。
【図面の簡単な説明】
【００１４】
【図１】本発明の補聴器携帯用ケースに収納される耳あな型補聴器の３つの形状
【図２】本発明に係わる補聴器携帯用ケースの閉状態の斜視図
【図３】本発明に係わる補聴器携帯用ケースの開状態の斜視図
【図４】本発明に係わる補聴器携帯用ケースの蓋部に接着する緩衝用パットの斜視図
【図５】本発明に係わる補聴器携帯用ケースの蓋部に接着する緩衝用パットの横断面図
【図６】本発明に係わる補聴器携帯用ケースの容器部の斜視図
【図７】本発明に係わる補聴器携帯用ケースの容器部に接着する緩衝用パットの斜視図
【発明を実施するための形態】
【００１５】
本発明の補聴器携帯用ケースの形状と構造を、図２と３に基づいて説明する。図２は本発明に係わるケース体を閉じた状態の斜視図、図３は開いた状態の斜視図である。図４は蓋部内側に装着する厚さがフレキシブルな部位をもつ緩衝用パットの斜視図、図５は図３の１の蓋部内側に装着する緩衝用パットの２つの横断面図である。図６は容器部の斜視図、図7は容器部の中に装着する緩衝用パットで、空気電池をくっつかせる磁性ゴムを装着した容器部のパットの斜視図である。
【００１６】
図２の１は補聴器と電池を収納する容器部、２はドーム形の蓋部、３は容器部１と蓋部２を開閉しケース体を開閉をつかさどるフックを付いた容器部１と蓋部２に装着したボタン、４は蓋部２と容器部１の開閉をつかさどるヒンジである。ケース体はアルミニウムのような軽金属、あるいはＡＢＳ樹脂などで作成する。
【００１７】
本発明は、図２の蓋部に装着させる図５の緩衝用パットの大きさを容器部の容積に対応させ、補聴器や空気電池の収納による容器部の容積をフレキシブに変形するドーム形の緩衝用パットで、移動時における補聴器の揺れやずれを防止する構造の、補聴器携帯用ケースに係わるものである。図２の２蓋部に接着されるドーム形の緩衝用パットは、図４と図５の８の糊しろで図２の２のケース体の蓋部に接着されるが、図４と図５の５６に示した空気孔４６があるのでクッションとしての圧力は弱く対応性の早いフレキシブイルな緩衝用パットで、図１に示した３つの補聴器の容積に対応してケース体の容積を伸縮させる。図５の蓋部の緩衝用パットの素材は折り曲げ易い厚さ０．５mｍ以下合成ゴムで形成するが、クッションとしては図４と図５の４６の空気孔があるので柔らかく、図５の５５の高さは小さな力で変化し、ケース体の容積やその形は小さな力で変化する。図５の緩衝用パットの糊しろ８は、図７の容器部の緩衝用パットの厚さと長さに相応した図４と図５の形状をし、図４の４３と４４と図５の５７のケース体のヒンジと開閉ボタンの部位を回避した切り込みをもった形状をし、ケース体に接着させる。この接着は弾性を利用する装着固定でも良い。この接着は弾力性を利用する装着固定でも良く、取り外して洗って汚れを取り除くことができる。
【００１８】
図６は図２の容器部を斜視図で示したものであるが、その底部は３０ｍｍ幅の平板１３とその両端に丸みを帯びた板１４、蓋部と容器部をつなぐヒンジ４、ケース体の開閉をつかさどる開閉ボタン５で構成され、アルミニウムのような軽金属やＡＢＳ樹脂などで作ったケース体の図である。図７は図６の容器部に挿入し装着させる緩衝用パットの斜視図で、左右両耳の補聴器を同時に収納でき、４個以上の空気電池をくっつかせることができる磁性ゴムを装着できる部位を備えた緩衝用パットである。この容器部の緩衝用パットは、補聴器を傷つけない程度の硬さの弾性体、例えば合成ゴムで作る。底部に図７の１７示した厚さ２ｍｍ程度で３０×３０ｍｍ２程度の磁性ゴムを着装できる四角形の凸部１６で囲った部位を成形し、図６の４のヒンジのための切り込み１５と、開閉ボタンのための切り込み１８を持ち、糊しろ９でケース体の容器部に接着される。この接着は弾力性を利用する装着固定でも良く、取り外して洗って汚れを取り除くことができる。
【産業上の利用可能性】
【００１９】
本発明の補聴器携帯用ケースは、多様な大きさの耳あな型補聴器や耳掛補聴器に対応でき、それらの小形補聴器で使用する空気電池の使用途上の自然放電の防止と予備の空気電池の携帯を可能にする補聴器携帯用ケースであり、補聴器装用者の補聴器携帯に大きな利便性をもたらす。また、容器部の緩衝用パット内に収納した数グラム以下の軽量な補聴器や空気電池を、蓋部に接着したドーム形のフレキシブイルな緩衝用パットで固定するので構造的簡単な制作容易な補聴器携帯用ケースである。
【符号の説明】
【００２０】
１００  フルシェル型補聴器
２００  カナル型補聴器
３００  ミニカナル型補聴器
１  ケース体の容器部
２  容器体の蓋部
３  容器体の開閉ボタン
４  容器体のヒンジ
８  蓋部の糊しろ
９  容器部緩衝用パットの糊しろ
２３  ドーム形の蓋部
１２  容器部の縦側面
１１  容器部の横側面
２１  蓋部の横側面
２２  蓋部の縦側面
３１  蓋部の開閉ボタン
３２  容器部の開閉ボタン
４５  蓋部のドーム形緩衝用パット
４３  ヒンジのための蓋部糊しろの凹部  
４４  開閉ボタンのための蓋部緩衝用パットの凹部
４６  蓋部のドーム形緩衝用パットに空気孔  
１５  容器部の緩衝用パット受け
７０  容器部緩衝用パットのヒンジのための凹部
７１  磁性ゴムを装着する凹部
７２  磁性ゴム
７３  開閉ボタンのための容器部緩衝用パットの凹部
【図１】
2015204549.tif 000003
【図２】
2015204549.tif 000004
【図３】
2015204549.tif 000005
【図４】
2015204549.tif 000006
【図５】
2015204549.tif 000007
【図６】
2015204549.tif 000008
【図７】
2015204549.tif 000009